(57)【要約】【課題】部品点数と取付工数を削減し、コスト低減を図ることができるようにする。【解決手段】インストルメントパネル１の裏面に、開断面の空調ダクト本体５を一体的に固定したインストルメントパネル１構造であって、空調ダクト本体５に、インストルメントパネル１裏面から離れる離隔部８を一体形成し、離隔部８が、開断面部９と、開断面部９を閉止して閉断面とする蓋体１０と、開断面部９に蓋体１０を連結する樹脂ヒンジ１１とを一体に有するようにしている。【選択図】        図４
2004291745.tif 000002
【特許請求の範囲】
【請求項１】
インストルメントパネルの裏面に、開断面の空調ダクト本体を一体的に固定したインストルメントパネル構造であって、
前記空調ダクト本体に、インストルメントパネル裏面から離れる離隔部を一体形成し、
該離隔部が、開断面部と、開断面部を閉止して閉断面とする蓋体と、開断面部に蓋体を連結する樹脂ヒンジとを一体に有するよう構成されたことを特徴とするインストルメントパネル構造。
【請求項２】
離隔部の開断面部を型抜方向のいずれかの面が開となるようにし、蓋体で開断面部の開部分を塞ぐよう構成したことを特徴とする請求項１記載のインストルメントパネル構造。
【請求項３】
前記離隔部を複数の略直線的な短いブロックに分けたことを特徴とする請求項１または２記載のインストルメントパネル構造。
【請求項４】
前記ブロックごとに開とする面を交互に反対側に形成したことを特徴とする請求項３記載のインストルメントパネル構造。
【発明の詳細な説明】
【０００１】
【発明の属する技術分野】
この発明は、インストルメントパネル構造に関するものである。
【０００２】
【従来の技術】
自動車などの車両では、車室内の前部にインストルメントパネルが設けられる。このようなインストルメントパネルの内側には空調ダクトが配設されている。そして、この空調ダクトはインストルメントパネルの裏面に固定されている。
【０００３】
空調ダクトのインストルメントパネルの裏面への固定手段として、従来、インストルメントパネルの裏面に、開断面の空調ダクト本体を溶着するようにしたものがある（例えば、特許文献１参照）。
【０００４】
【特許文献１】
特開平８−２４４４４０号公報
【０００５】
【発明が解決しようとする課題】
しかしながら、インストルメントパネルの裏面に開断面の空調ダクト本体を固定するようにした場合、インストルメントパネルの裏面に沿った取り回しが可能な部分については良いものの、上下に取り回す必要がある部分に対しては、空調ダクト本体がインストルメントパネルの裏面から離れてしまうことになるので、この部分を別ダクト化するか、或いは、別体に設けた蓋で空調ダクト本体のインストルメントパネルから離れた開断面部分を閉止するかしかなかった。そのため、部品点数の増大や取付工数の増加を招いていた。
【０００６】
そこで、本発明の目的は、上記の問題点を解消し、部品点数と取付工数を削減し、コスト低減を図ることができるインストルメントパネル構造を提供することにある。
【０００７】
【課題を解決するための手段】
上記課題を解決するために、請求項１に記載された発明では、インストルメントパネルの裏面に、開断面の空調ダクト本体を一体的に固定したインストルメントパネル構造であって、前記空調ダクト本体に、インストルメントパネル裏面から離れる離隔部を一体形成し、該離隔部が、開断面部と、開断面部を閉止して閉断面とする蓋体と、開断面部に蓋体を連結する樹脂ヒンジとを一体に有するよう構成されたインストルメントパネル構造を特徴としている。
【０００８】
このように構成された請求項１にかかる発明によれば、空調ダクト本体の離隔部を、開断面部と、開断面部を閉止して閉断面とする蓋体と、開断面部に蓋体を連結する樹脂ヒンジとを一体に有するよう構成したので、空調ダクト本体に一体形成された離隔部に対し、樹脂ヒンジで連結された蓋体を用いて開断面部を閉止して、離隔部を閉断面とするのみで良いため、部品点数と取付工数を削減し、コスト低減を図ることができる。
【０００９】
請求項２に記載された発明では、離隔部の開断面部を型抜方向のいずれかの面が開となるようにし、蓋体で開断面部の開部分を塞ぐよう構成した請求項１記載のインストルメントパネル構造を特徴としている。
【００１０】
このように構成された請求項２にかかる発明によれば、離隔部の開断面部を型抜方向のいずれかの面が開となるようにし、蓋体で開断面部の開部分を塞ぐよう構成することにより、一方向に開閉する型を有する成形装置を用いて、開断面部と、蓋体と、樹脂ヒンジとを一体に有する離隔部を、空調ダクト本体の開断面の部分と一体に成形することができる。
【００１１】
請求項３に記載された発明では、離隔部を複数の略直線的な短いブロックに分けた請求項１または２記載のインストルメントパネル構造を特徴としている。
【００１２】
このように構成された請求項３にかかる発明によれば、離隔部を複数の略直線的な短いブロックに分けて構成することにより、各ブロックごとに蓋体を設けるようにすれば良くなるので、蓋体を有利に形成することができる。
【００１３】
請求項４に記載された発明では、ブロックごとに開とする面を交互に反対側に形成した請求項３記載のインストルメントパネル構造を特徴としている。
【００１４】
このように構成された請求項４にかかる発明によれば、ブロックごとに開とする面を交互に反対側に形成することにより、離隔部に対する剛性確保やシール性確保を有利に行うことができる。
【００１５】
【発明の実施の形態】
以下、本発明を具体化した実施の形態について、図示例と共に説明する。
【００１６】
図１〜図１６は、この発明の実施の形態を示すものである。
【００１７】
まず、構成を説明すると、自動車などの車両では、車室内の前部に、図１に示すようなインストルメントパネル１が設けられる。このインストルメントパネル１は、この実施の形態では、例えば図２に示すように、表皮２と芯材３との間に発泡層４を有する３層構造のものとされている。なお、インストルメントパネル１の構造は、これに限るものではない。
【００１８】
そして、インストルメントパネル１の裏面に、開断面の空調ダクト本体５の開断面部分を一体的に固定することにより閉断面の空気通路を構成する。この空調ダクト本体５のインストルメントパネル１に対する固定の手段としては、例えば、振動溶着などを用いる（溶着部６）。空調ダクト本体５は芯材３に溶着可能な樹脂材料で成形する。
【００１９】
この実施の形態のものでは、空調ダクト本体５に、インストルメントパネル１の裏面から面外方向へ離れる離隔部８を一体形成する。
【００２０】
そして、離隔部８が、開断面部９と、この開断面部９を閉止して閉断面とする蓋体１０と、開断面部９に蓋体１０を連結する樹脂ヒンジ１１とを一体に有するよう構成されている。
【００２１】
更に、蓋体１０と開断面部９とには、爪１２と爪係止孔１３とからなるワンタッチロック機構が設けられている。
【００２２】
より具体的には、図１のインストルメントパネル１の裏面に対し、空調ダクト本体５として、図１および図４〜図１１に示す左側のベンチレータダクト１５と、図１および図１２〜図１６に示す右側のベンチレータダクト１６とが溶着されている。
【００２３】
即ち、各ベンチレータダクト１５，１６は、開断面の当接固定部１７に対して、閉断面となる離隔部８が一体的に形成されている。当接固定部１７は、インストルメントパネル１の裏面に当接して溶着面となるフランジ１８を開断面の縁部に備えている。ベンチレータダクト１５，１６の当接固定部１７側の端部には、空調ユニット１９に対する接続開口２０が形成されている。また、ベンチレータダクト１５，１６の離隔部８側の端部には、ベンチレータグリル２１に対する接続口２２が形成されている。
【００２４】
そして、インストルメントパネル１内での取り回しが複雑である場合には、離隔部８は複数の略直線的な短いブロックに分けて構成するのが蓋体１０を形成する上で好ましい。例えば、左側のベンチレータダクト１５の離隔部８は、下がり勾配で傾斜する傾斜部２６と、接続口２２から延びる略水平な直線部２７と、向きの異なる傾斜部２６および直線部２７の間を所要の角度を有して連結する略水平な連結部２８とで構成されている。なお、傾斜部２６と連結部２８と直線部２７とは、それぞれが略同程度の長さとなるようにブロック分けするのが、蓋体１０を形成する上で更に好ましい。
【００２５】
反対に、取り回しが複雑でない場合には、離隔部８は単一のブロックに分けて構成するのが好ましい。例えば、右側のベンチレータダクト１６の離隔部８は、接続口２２へ向かって略直線的に下がる勾配部２９とされている。
【００２６】
そして、離隔部８の開断面部９は型抜方向のいずれかの面が開となるように構成する。蓋体１０はこの開部分を塞ぐように構成する。例えば、型抜方向が上下方向となる場合には、上または下の面を開とする。
【００２７】
更に、離隔部８が取り回しの関係で複数のブロックに分けられている場合には、各ブロックごとに開とする面を交互に反対側に形成するのが剛性確保やシール性確保の上で好ましい。より具体的には、左側のベンチレータダクト１５の離隔部８における、傾斜部２６では下側を開とし、直線部２７では上側を開とし、連結部２８では下側を開とする。なお、この上下関係は逆であっても良い。また、右側のベンチレータダクト１６の離隔部８における勾配部２９は下側を開とする。なお、勾配部２９は上側を開としても良い。
【００２８】
また、接続口２２の部分については、スライド型で横方向へ型抜きするようにしている。
【００２９】
次に、この実施の形態の作用について説明する。
【００３０】
インストルメントパネル１の裏面に、空調ダクト本体５の開断面の当接固定部１７を当接し、当接固定部１７のフランジ１８を振動溶着などで芯材３に固定して、インストルメントパネル１と空調ダクト本体５とを一体化する。
【００３１】
そして、空調ダクト本体５のインストルメントパネル１裏面への固定後に、空調ダクト本体５に一体形成された離隔部８に対し、樹脂ヒンジ１１で連結された蓋体１０を用いて開断面部９を閉止して、離隔部８を閉断面とする。以上により、空調ダクト本体５の取付けが完成する。
【００３２】
なお、空調ダクト本体５の樹脂ヒンジ１１で連結された蓋体１０を用いて開断面部９を閉止した後に、空調ダクト本体５をインストルメントパネル１の裏面に溶着固定しても良いことは言うまでもない。
【００３３】
この実施の形態によれば、空調ダクト本体５の離隔部８を、開断面部９と、開断面部９を閉止して閉断面とする蓋体１０と、開断面部９に蓋体１０を連結する樹脂ヒンジ１１とを一体に有するよう構成したので、空調ダクト本体５のインストルメントパネル１裏面への固定後に、空調ダクト本体５に一体形成された離隔部８に対し、樹脂ヒンジ１１で連結された蓋体１０を用いて開断面部９を閉止して、離隔部８を閉断面とするのみで良いため、部品点数と取付工数を削減し、コスト低減を図ることができる。また、蓋体１０が樹脂ヒンジ１１を介して開断面部９に連結されているため、蓋体１０が紛失するおそれがなく、蓋体１０を探す手間もかからない。
【００３４】
また、離隔部８の開断面部９を型抜方向のいずれかの面が開となるようにし、蓋体１０で開断面部９の開部分を塞ぐよう構成することにより、一方向に開閉する型を有する成形装置を用いて、開断面部９と、蓋体１０と、樹脂ヒンジ１１とを一体に有する離隔部８を、空調ダクト本体５の開断面の当接固定部１７と一体に成形することができる。ただし、接続口２２の部分については、例外的にスライド型が必要となる。
【００３５】
そして、離隔部８の取り回しが複雑である場合に、離隔部８を複数の略直線的な短いブロックに分けて構成することにより、各ブロックごとに蓋体１０を設けるようにすれば良くなるので、蓋体１０を有利に形成することができる。
【００３６】
更に、離隔部８が取り回しの関係で複数のブロックに分けられている場合に、各ブロックごとに開とする面を交互に反対側に形成することにより、離隔部８に対する剛性確保やシール性確保を有利に行うことができる。
【００３７】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００３８】
【発明の効果】
以上説明してきたように、請求項１の発明によれば、空調ダクト本体の離隔部を、開断面部と、開断面部を閉止して閉断面とする蓋体と、開断面部に蓋体を連結する樹脂ヒンジとを一体に有するよう構成したので、空調ダクト本体に一体形成された離隔部に対し、樹脂ヒンジで連結された蓋体を用いて開断面部を閉止して、離隔部を閉断面とするのみで良いため、部品点数と取付工数を削減し、コスト低減を図ることができる。
【００３９】
請求項２の発明によれば、離隔部の開断面部を型抜方向のいずれかの面が開となるようにし、蓋体で開断面部の開部分を塞ぐよう構成することにより、一方向に開閉する型を有する成形装置を用いて、開断面部と、蓋体と、樹脂ヒンジとを一体に有する離隔部を、空調ダクト本体の開断面の部分と一体に成形することができる。
【００４０】
請求項３の発明によれば、離隔部を複数の略直線的な短いブロックに分けて構成することにより、各ブロックごとに蓋体を設けるようにすれば良くなるので、蓋体を有利に形成することができる。
【００４１】
請求項４の発明によれば、ブロックごとに開とする面を交互に反対側に形成することにより、離隔部に対する剛性確保やシール性確保を有利に行うことができる、という実用上有益な効果を発揮し得る。
【図面の簡単な説明】
【図１】本発明の実施の形態にかかるインストルメントパネルの斜視図である。
【図２】図１のインストルメントパネルの部分断面図である。
【図３】図２のＡ−Ａ断面図である。
【図４】図１の左側のベンチレータダクトの平面図である。
【図５】図４の側面図である。
【図６】図１の斜視図である。
【図７】図６Ｂ−Ｂ断面図である。
【図８】図６のＣ−Ｃ断面図である。
【図９】図６のＤ−Ｄ断面図である。
【図１０】図６のＥ−Ｅ断面図である。
【図１１】図６のＦ−Ｆ断面図である。
【図１２】図１の右側のベンチレータダクトの平面図である。
【図１３】図１２の斜視図である。
【図１４】図１３のＧ−Ｇ断面図である。
【図１５】図１３のＨ−Ｈ断面図である。
【図１６】図１３のＩ−Ｉ断面図である。
【符号の説明】
１    インストルメントパネル
５    空調ダクト本体
８    離隔部
９    開断面部
１０  蓋体
１１  樹脂ヒンジ
【図１】
2004291745.tif 000003
【図２】
2004291745.tif 000004
【図３】
2004291745.tif 000005
【図４】
2004291745.tif 000006
【図５】
2004291745.tif 000007
【図６】
2004291745.tif 000008
【図７】
2004291745.tif 000009
【図８】
2004291745.tif 000010
【図９】
2004291745.tif 000011
【図１０】
2004291745.tif 000012
【図１１】
2004291745.tif 000013
【図１２】
2004291745.tif 000014
【図１３】
2004291745.tif 000015
【図１４】
2004291745.tif 000016
【図１５】
2004291745.tif 000017
【図１６】
2004291745.tif 000018